(57)【要約】【課題】運転手への成り済ましを良好に防止し得る飲酒運転防止装置を提供する。【解決手段】飲酒運転防止装置は、ステアリングホイールＳＷ又はその近傍の車体側に設けられ運転席Ｄに着座した運転手Ｕ１の呼気に含まれるアルコール濃度を検出するアルコールセンサ２１と、前席のほぼ中央領域Ｓに進入した運転手Ｕ１以外の乗員を検出する距離センサ２３（成り済まし乗員検出手段）と、運転席ドアＤ２の開閉を検出するドア開閉検出スイッチ２５（ドア開閉検出手段）と、運転席ドアウインドＤ３の開閉を検出するウインド開閉検出スイッチ２６（ウインド開閉検出手段）と、距離センサ２３により乗員が検出されず、ドア開閉検出スイッチ２５により運転席ドアＤ２の閉状態が検出され、かつウインド開閉検出スイッチ２６により運転席ドアウインドＤ３の閉状態が検出されたことを条件として、アルコール濃度検出処理を実行するセンサＥＣＵ３１（制御手段）とを備える。【選択図】図２
2009258872.tif 000002
【特許請求の範囲】
【請求項１】
運転席に着座した運転手の呼気に含まれるアルコール濃度を検出するアルコールセンサと、
前席のほぼ中央領域に進入した運転手以外の乗員を検出する成り済まし乗員検出手段と、
運転席ドアの開閉を検出するドア開閉検出手段と、
運転席ドアウインドの開閉を検出するウインド開閉検出手段と、
前記成り済まし乗員検出手段により乗員が検出されず、前記ドア開閉検出手段により運転席ドアの閉状態が検出され、かつ前記ウインド開閉検出手段により運転席ドアウインドの閉状態が検出されたことを条件として、前記アルコールセンサによるアルコール濃度検出処理を実行する制御手段と、
を備えたことを特徴とする飲酒運転防止装置。
【請求項２】
運転席には乗員の着座を検出する着座センサが設けられており、前記制御手段は、前記アルコール濃度検出処理を実行した後、前記着座センサにより乗員の着座が検出されない状態が生じたときは車両の走行を禁止する請求項１に記載の飲酒運転防止装置。
【発明の詳細な説明】
【技術分野】
【０００１】
本発明は、飲酒運転防止装置に関し、特にアルコールセンサを用いた飲酒運転防止装置に関する。
【背景技術】
【０００２】
この種の飲酒運転防止装置として、車両のシフトレバーにアルコールセンサと脈拍センサを設け、運転席に脈拍センサを設けて、運転席に着座した状態での運転手の脈拍と、シフトレバーに運転手の手が触れた状態での脈拍とが一致（運転者本人の認証）するか否かを判定するものが知られている（例えば下記特許文献１参照）。この特許文献１に記載された飲酒運転防止装置では、両脈拍一が致すると判定したとき、皮膚から検出されたアルコール濃度に基づいて飲酒状態を判断することで、運転手への成り済ましを防止するようにしている。
【０００３】
【特許文献１】特開２００７−１８６１２４号公報
【発明の開示】
【発明が解決しようとする課題】
【０００４】
しかしながら、脈拍は、例えば運転前後における運転者の体調、精神状態等によって変化し、常に一定に保たれるものではないので、その測定結果に誤差が生じ易く、運転者への成り済ましを防止するには不十分であるという問題がある。
【０００５】
本発明は、上記問題に対処するためになされたものであり、その目的は、運転者への成り済ましを良好に防止し得る飲酒運転防止装置を提供することにある。
【０００６】
上記目的を達成するため、本発明の飲酒運転防止装置は、運転席に着座した運転手の呼気に含まれるアルコール濃度を検出するアルコールセンサと、前席のほぼ中央領域に進入した運転手以外の乗員を検出する成り済まし乗員検出手段と、運転席ドアの開閉を検出するドア開閉検出手段と、運転席ドアウインドの開閉を検出するウインド開閉検出手段と、成り済まし乗員検出手段により乗員が検出されず、ドア開閉検出手段により運転席ドアの閉状態が検出され、かつウインド開閉検出手段により運転席ドアウインドの閉状態が検出されたことを条件として、アルコールセンサによるアルコール濃度検出処理を実行する制御手段と、を備えたことを特徴とする。
【０００７】
本発明の飲酒運転防止装置においては、成り済まし乗員検出手段により運転手以外の乗員が検出されないこと、ドア開閉検出手段により運転席ドアの閉状態が検出されたこと、及びウインド開閉検出手段により運転席ドアウインドの閉状態が検出されたことを条件として、制御手段によりアルコール濃度検出処理が実行される。車内にいる運転手以外の乗員が運転手に成り済ましてアルコール計測を行う場合は、アルコールセンサに近づくために前席の中央領域に進入せざるを得ない。したがって、成り済まし乗員検出手段により乗員が検出されたとき、すなわち車内にいる運転手以外の乗員がアルコールセンサに近づいたものと判断されるときはアルコール濃度検出処理を実行しないように構成することで、車内にいる運転手以外の乗員が運転手に成り済ましてアルコール計測を行うことを良好に防止することができる。また、車外にいる運転手以外の乗員等が運転手に成り済ましてアルコール計測を行う場合は、アルコールセンサに近づくために運転席ドアを開けるか、又は運転席ドアウインドを開けざるを得ない。したがって、ドア開閉検出手段により運転席ドアの開状態が検出されるか、又はウインド開閉検出手段により運転席ドアウインドの開状態が検出されたとき、すなわち車外にいる運転手以外の乗員等がアルコールセンサに近づいたものと判断されるときはアルコール濃度検出処理を実行しないように構成することで、車外にいる運転手以外の乗員等が運転手に成り済ましてアルコール計測を行うことも良好に防止することができる。
【０００８】
また、運転席には乗員の着座を検出する着座センサが設けられており、制御手段は、アルコール濃度検出処理を実行した後、着座センサにより乗員の着座が検出されない状態が生じたときは車両の走行を禁止するものであるとよい。上記した構成によれば、運転手以外の乗員等が運転手に成り済ましてアルコール計測を行うことを良好に防止することができる。しかし、飲酒状態にない乗員等が運転席に着座した状態で運転手に成り済ましてアルコール計測を行った後に、飲酒状態にある運転手と入れ替わることもあり得る。したがって、アルコール濃度検出処理が実行された後であっても、着座センサにより乗員の着座が検出されない状態が生じたとき、すなわち運転席にて乗員の入れ替えが行われたものと判断されるときは車両の走行を禁止するように構成することで、飲酒状態にある運転手への入れ替えを良好に防止することができる。
【発明を実施するための最良の形態】
【０００９】
以下、本発明の一実施形態について図面を用いて説明する。図１は本発明に係る飲酒運転防止装置を構成するセンサ類等の配置構成図、図２は本発明に係る飲酒運転防止装置のブロック図である。この飲酒運転防止装置は、車両に搭載されたアルコールセンサ２１、測定開始スイッチ２２、距離センサ２３、着座センサ２４、ドア開閉検出スイッチ２５、ウインド開閉検出スイッチ２６、音発生器２７、表示器２８、及びこれらとハーネスを介して接続されたセンサＥＣＵ３１で構成されている。
【００１０】
アルコールセンサ２１は、ステアリングホイールＳＷにおけるボス部の上部、或いはコラムカバーの上部に設けられている。アルコールセンサ２１は、例えば白金製のコイルに酸化スズ等の金属酸化物をコーティングしてなる半導体センサであり、基板の通電によってセンサ部が所定温度に加熱されると、その表面にアルコール分子が吸着され、センサ部の電気抵抗値が変化するものである。アルコールセンサ２１は、このときの電気抵抗値をセンサＥＣＵ３１に出力する。なお、アルコールセンサ２１は、半導体センサに限らず、例えば電気化学反応による起電力の変化を利用したものや、アルコール蒸気の分子が特定の波長の赤外線を吸収する特性を利用したものを用いてもよい。
【００１１】
測定開始スイッチ２２は、例えば接点のオンオフが切り替わるメカニカルスイッチであり、例えばステアリングホイールＳＷのスポーク部に設けられている。測定開始スイッチ２２のオン操作により、アルコールセンサ２１が起動される。
【００１２】
距離センサ２３（成り済まし乗員検出手段）は、前席の前方にて左右に延設されたインストルメントパネルのほぼ中央に設けられている。距離センサ２３は、例えば赤外線センサであり、赤外光を略水平かつ後方へ向けて投射し、反射光の受光位置に応じて変化する電気抵抗値をセンサＥＣＵ３１に出力する。これにより、距離センサ２３は、前席のほぼ中央領域Ｓ（以下、単に領域Ｓという）に進入した運転手以外の乗員との距離を検出することができる。なお、距離センサ２３は、赤外線センサに限らず、例えば自然光を利用するものや、超音波による反射波を受信するまでの時間を測定して距離に換算するものでもよい。
【００１３】
着座センサ２４は、運転席ＤのシートクッションＤ１に設けられている。着座センサ２４は、例えば荷重センサであり、運転席Ｄに乗員が着座したとき、そのセンサ信号をセンサＥＣＵ３１に出力する。
【００１４】
ドア開閉検出スイッチ２５（ドア開閉検出手段）は、運転席ドアＤ２が開いたときにオンとなり、運転席ドアＤ２が閉じたときにオフとなるものであり、そのスイッチ信号をセンサＥＣＵ３１に出力する。
【００１５】
ウインド開閉検出スイッチ２６（ウインド開閉検出手段）は、運転席ドアウインドＤ３が開いたときにオンとなり、運転席ドアウインドＤ３が閉じたときにオフとなるものであり、そのスイッチ信号をセンサＥＣＵ３１に出力する。
【００１６】
音発生器２７は、ステアリングホイールＳＷのボス部、コラムカバー、或いはインストルメントパネルに設けられている。音発生器２７は、例えばスピーカ２７ａと音声合成回路２７ｂとを備えてなり、センサＥＣＵ３１のメモリに３１ｄに予め記憶された音声データに基づいてアルコール濃度計測状況、アルコール濃度計測結果に基づく車両運転の可否などを音声メッセージにより出力する。なお、音発生器２７としてナビゲーション装置を用いることも可能である。また、音発生器２７は、音声メッセージを出力するものに限らず、例えばブザー音を発生するブザーを用いてもよい。
【００１７】
表示器２８は、ステアリングホイールＳＷのスポーク部、或いはインストルメントパネルに設けられている。表示器２８は、例えばＬＥＤディスプレイであり、計算されたアルコール濃度の測定値を表示する。なお、表示器２８としてナビゲーション装置を用いることも可能である。
【００１８】
センサＥＣＵ３１（制御手段）は、ＣＰＵ３１ａ，ＲＯＭ３１ｂ，ＲＡＭ３１ｃ，メモリ３１ｄ，Ｉ／Ｏ３１ｅなどからなるマイクロコンピュータを主要構成部品としており、ＲＯＭ３１ｂに記憶されている図３の飲酒運転防止プログラムを繰り返し実行する。センサＥＣＵ３１は、アルコールセンサ２１からのセンサ信号に基づいてアルコール濃度を計算する機能を有する。また、センサＥＣＵ３１は、音発生器２７を駆動制御し、アルコール濃度の計測結果に応じてスタータリレー４１をオン、オフする等の機能も有する。
【００１９】
次に、上記のように構成した実施形態の作動について図３の飲酒運転防止プログラムを用いて説明する。最初に、飲酒状態にない運転手Ｕ１が車両を走行させる場合について説明する。この場合は、運転手Ｕ１が運転席Ｄに着座して着座センサ２４がオンの状態で（Ｓ１１）、測定開始スイッチ２２をオン操作すると、アルコールセンサ２１が起動する（Ｓ１２）。
【００２０】
図１（ａ），（ｂ）にて二点鎖線で示すように、運転手Ｕ１がアルコールセンサ２１に呼気を吹きかけるために運転席Ｄに着座した状態でアルコールセンサ２１に近づいた場合は、運転手Ｕ１が領域Ｓに進入することはないため、距離センサ２３が後席シートまでの距離（前席が一体シートの場合は前席シートまでの距離）を検出してセンサＥＣＵ３１に出力する。センサＥＣＵ３１は、距離センサ２３のデータを読み込んでメモリ３１ｄに記憶するとともに、検出された距離が所定距離Ｌｏ以内であるか否かを判定する（Ｓ１３，Ｓ１４）。
【００２１】
この所定距離Ｌｏは、領域Ｓに進入した乗員を検出することができるよう距離センサ２３から後席シートまでの距離に比して短い長さに設定されている。したがって、運転席Ｄに着座した運転手Ｕ１がアルコール計測を行う場合は、距離センサ２３により後席シートまでの距離が検出され、この距離が所定距離Ｌｏよりも長いために（Ｓ１４：Ｎｏ）、ドア開閉検出スイッチ２５により運転席ドアＤ２の開状態が検出され、かつウインド開閉検出スイッチ２６により運転席ドアウインドＤ３の開状態が検出されたか否かを判定する（Ｓ１５）。
【００２２】
運転席ドアＤ２が開状態にあるか、又は運転席ドアウインドＤ３が開状態にあるときは、室内に吹き込む風等によってアルコールセンサ２１によるアルコール濃度検出が十分に行われないおそれがあり、また運転手Ｕ１以外の乗員等が開状態にある運転席ドアＤ２又は運転席ドアウインドＤ３を通して運転手Ｕ１に成り済ましてアルコール計測を行うおそれもある。したがって、このような場合は、センサＥＣＵ３１は、音発生器２７に例えば「ドア又はウインドが開いています。閉じて、再度測定開始スイッチを押して下さい」等の音声メッセージを出力させる（Ｓ１５：Ｙｅｓ，Ｓ１６）。
【００２３】
一方、運転席ドアＤ２と運転席ドアウインドＤ３が何れも閉状態にあるときは、センサＥＣＵ３１は、音発生器２７に例えば「呼気を吹きかけて下さい」等の音声メッセージを出力させる（Ｓ１５：Ｎｏ，Ｓ１７）。
【００２４】
そして、センサＥＣＵ３１は、アルコールセンサ２１からのセンサ信号に基づいてアルコール濃度を計算し（Ｓ１８）、アルコール濃度の計算が完了すると（Ｓ１９：Ｙｅｓ）、計算されたアルコール濃度の測定値を表示器２８に表示させるとともに、そのアルコール濃度が所定の閾値よりも高いか否かを判定する（Ｓ２０）。
【００２５】
いま、運転手Ｕ１が飲酒状態にないので（Ｓ２０：Ｎｏ）、センサＥＣＵ３１は、音発生器２７に例えば「運転可能です」等の音声メッセージを出力させ（Ｓ２１）、スタータリレー４１をオンする（Ｓ２２）。イグニッションスイッチがオンされると（Ｓ２３）、着座センサ２４からのセンサ信号に応じて運転手Ｕ１の着座状態が維持されていると判定すれば（Ｓ２４：Ｙｅｓ）、エンジンを始動させる（Ｓ２５）。
【００２６】
次に、飲酒状態にある運転手Ｕ１本人が車両を走行させようとする場合について説明する。この場合、運転席Ｄに着座した運転手Ｕ１本人がアルコール計測を行うのであれば、距離センサ２３により検出された距離が所定距離Ｌｏよりも長くなるため（Ｓ１４：Ｎｏ）、運転席ドアＤ２と運転席ドアウインドＤ３が何れも閉状態にあることを条件として（Ｓ１５：Ｎｏ）、アルコール濃度処理を実行することとなるが（Ｓ１８，Ｓ１９）、運転手Ｕ１が飲酒状態にあるので（Ｓ２０：Ｙｅｓ）、センサＥＣＵ３１は、音発生器２７に例えば「アルコールを検出しました。運転できません」等の音声メッセージを出力させ（Ｓ２６）、スタータリレー４１をオフする（Ｓ２７）。これにより、運転手Ｕ１が飲酒状態にある場合は、車両を走行させることが禁止される。
【００２７】
次に、飲酒状態にある運転手Ｕ１に成り済まして、例えば助手席Ｐにいる乗員Ｕ２がアルコール計測を行う場合について説明する。この場合は、図４に示すように、乗員Ｕ２が領域Ｓに進入し、距離センサ２３により検出された距離が所定距離Ｌｏよりも短くなるため（Ｓ１４：Ｙｅｓ）、センサＥＣＵ３１は、音発生器２７に例えば「検査できません。障害物がないか確認下さい」等の音声メッセージを出力させ（Ｓ２８）、ステップＳ１８，Ｓ１９のアルコール濃度検出処理を実行しない。これにより、運転手Ｕ１以外の乗員Ｕ２が運転手Ｕ１に成り済ましてアルコール計測を行うことを良好に防止することができる。なお、助手席Ｐにいる乗員Ｕ２の場合と同様にして、後席にいる乗員が運転手Ｕ１に成り済ましてアルコール計測を行うことも良好に防止することができる。
【００２８】
次に、飲酒状態にない乗員が運転席Ｄに着座した状態で運転手Ｕ１に成り済ましてアルコール計測を行った後、飲酒状態にある運転手Ｕ１と入れ替わる場合について説明する。この場合は、距離センサ２３により検出された距離が所定距離Ｌｏよりも長くなり（Ｓ１４：Ｎｏ）、また、アルコール濃度が所定の閾値よりも低いので（Ｓ２０：Ｎｏ）、ステップＳ２１以降の処理を実行する。しかし、その乗員が飲酒状態にある運転手Ｕ１と入れ替わるときに、着座センサ２４により乗員の着座が検出されない状態が生じるので（Ｓ２４：Ｎｏ）、センサＥＣＵ３１は、イグニッションスイッチを強制的にオフし（Ｓ２９）、音発生器２７に例えば「再測定して下さい」等の音声メッセージを出力させる（Ｓ３０）。
【００２９】
以上の説明からも明らかなように、上記実施形態では、距離センサ２３により運転手Ｕ１以外の乗員が検出されないこと（Ｓ１４：Ｎｏ）、ドア開閉検出スイッチ２５により運転席ドアＤ２の閉状態が検出されたこと、及びウインド開閉検出スイッチ２６により運転席ドアウインドＤ３の閉状態が検出されたこと（Ｓ１５：Ｎｏ）を条件として、センサＥＣＵ３１によりアルコール濃度検出処理が実行される（Ｓ１８，Ｓ１９）。これにより、車内又は車外にいる運転手Ｕ１以外の乗員Ｕ２等が運転手Ｕ１に成り済ましてアルコール計測を行うことを良好に防止することができる。
【００３０】
また、上記実施形態では、センサＥＣＵ３１によりステップＳ１８〜Ｓ２２の処理が実行された後であっても、着座センサ２４により乗員の着座が検出されない状態が生じたとき、すなわち運転席Ｄにて乗員の入れ替えが行われたと判定されたときは、ステップＳ２４にて「Ｎｏ」と判定し、ステップＳ２９の処理の実行により車両の走行が禁止されるので、飲酒状態にある運転手Ｕ１への入れ替えを良好に防止することができる。
【００３１】
なお、上記実施形態では、成り済まし乗員検出手段としての距離センサ２３が赤外光を略水平かつ後方へ向けて投射するように構成したが、この距離センサ２３に加えて又は代えて、例えば図５に示すように、車両の天井部に距離センサ１２３を設け、距離センサ１２３が領域Ｓ内にて赤外光を略鉛直かつ下方（或いは上方）へ向けて投射するように構成してもよい。
【００３２】
また、上記実施形態では、アルコールセンサがステアリングホイールＳＷ等の車体側に固定されるように構成したが、これに限らず、例えば持ち運びできるタイプのものでもよい。
【図面の簡単な説明】
【００３３】
【図１】（ａ）は、本発明に係る飲酒運転防止装置を構成するセンサ類等の配置を示す平面図。（ｂ）は、（ａ）の側面図。
【図２】図１のブロック図。
【図３】図１のセンサＥＣＵにより実行される飲酒運転防止プログラムを示すフローチャート。
【図４】助手席の乗員が運転手に成り済ましてアルコール計測を行う場合の説明図。
【図５】（ａ）は、本発明の変形実施形態に係る距離センサの配置を示す平面図。（ｂ）は、（ａ）の側面図。（ｃ）は、（ａ）の背面図。
【符号の説明】
【００３４】
ＳＷ  ステアリングホイール
Ｄ  運転席
Ｐ  助手席
Ｕ１  運転手
Ｕ２  運転手以外の乗員
Ｄ２  運転席ドア
Ｄ３  運転席ドアウインド
２１  アルコールセンサ
２２  測定開始スイッチ
２３，１２３  距離センサ（成り済まし乗員検出手段）
２４  着座センサ
２５  ドア開閉検出スイッチ（ドア開閉検出手段）
２６  ウインド開閉検出スイッチ（ウインド開閉検出手段）
２７  音発生器
２８  表示器
３１  センサＥＣＵ（制御手段）
４１  スタータリレー
【図１】
2009258872.tif 000003
【図２】
2009258872.tif 000004
【図３】
2009258872.tif 000005
【図４】
2009258872.tif 000006
【図５】
2009258872.tif 000007